(57)【要約】【課題】  ピンロックの操作性を向上させる。【解決手段】  偏平な本体ケース１の内部空間に、回動可能に支承された邪魔板５を設け、この邪魔板に、大径孔と小径孔とを円周方向に連設し、大径孔と小径孔とが回動軸４を見込む角度が同じになるようにした複数のダルマ形のタンブラー孔７、７を一定の展開パターンで形成し、各タンブラー孔７に対応するタンブラーピン１３を、その操作端９を外ケースの表面側から押動したとき小径部１２が邪魔板５と整合する第１タンブラーピンと、裏面側から押動したとき小径部が邪魔板と整合する第２タンブラーピンとに分類し、施解錠操作時、タンブラーピン１３の操作端を本体ケースの表面側から、或いは裏面側から押動のみによって操作できるようにする。【選択図】  図１
2006336268.tif 000002
【特許請求の範囲】
【請求項１】
浅い皿状の第１及び第２シェルの開口を相互に接合させて結合することにより偏平な本体ケースを構成し、この本体ケースの内部空間に、本体ケースを厚さ方向に貫通する回動軸の回りを回動可能に支承された邪魔板を設け、この邪魔板に、大径孔と小径孔とを円周方向に連設し、大径孔と小径孔とが回動軸を見込む角度が同じになるようにした複数のタンブラー孔を一定の展開パターンで形成し、一方、本体ケースの一面を表面として指定し、この表面上にタンブラー孔の展開パターンと同一の展開パターンで、本体シェルを厚さ方向に貫通するピン孔を形成すると共に、各ピン孔の本体ケースの少なくとも表面側の開口部に数字や文字を標記し、他方、各ピン孔に、両端に本体ケースの表面及び裏面に突出する操作端を形成し、タンブラー孔を貫通する中央部にタンブラー孔の大径孔と嵌合する大径部と、小径孔と嵌合する小径部とを連設したタンブラーピンを長さ方向に移動可能に嵌装すると共に、タンブラーピンを、操作端を表面側から押動したとき小径部が邪魔板と整合する第１タンブラーピンと、操作端を裏面側から押動したとき小径部が邪魔板と整合する第２タンブラーピンとに分類し、本体ケースの選択されたピン孔群に第１タンブラーピンを、残りのピン孔群に第２タンブラーピンを夫々嵌装し、全第１タンブラーピンを本体ケースの表面側から押動し、全第２タンブラーピンを裏面側から押動した後邪魔板を所定の方向に回動させ、この邪魔板の回動を利用して錠止部材を制御するようにしたことを特徴とするプッシュプルピンロック。
【請求項２】
浅い皿状の第１及び第２シェルの開口を相互に接合させて結合することにより偏平な本体ケースを構成し、この本体ケースの内部空間に、邪魔板を一定方向に所定距離移動可能に支持案内し、この邪魔板に、大径孔と小径孔とを上記一定方向に所定距離の間隔で連設した複数のダルマ形のタンブラー孔を一定の展開パターンで形成し、一方、本体ケースの一面を表面として指定し、この表面上にタンブラー孔の展開パターンと同一の展開パターンで、本体シェルを厚さ方向に貫通するピン孔を形成すると共に、各ピン孔の本体ケースの少なくとも表面側の開口部に数字や文字を標記し、他方、各ピン孔に、両端に本体ケースの表面及び裏面に突出する操作端を形成し、タンブラー孔を貫通する中央部にタンブラー孔の大径孔と嵌合する大径部と、小径孔と嵌合する小径部とを連設したタンブラーピンを長さ方向に移動可能に嵌装すると共に、タンブラーピンを、操作端を表面側から押動したとき小径部が邪魔板と整合する第１タンブラーピンと、操作端を裏面側から押動したとき小径部が邪魔板と整合する第２タンブラーピンとに分類し、本体ケースの選択されたピン孔群に第１タンブラーピンを、残りのピン孔群に第２タンブラーピンを夫々嵌装し、全第１タンブラーピンを本体ケースの表面側から押動し、全第２タンブラーピンを裏面側から押動した後邪魔板を所定の方向に直線移動させ、この邪魔板の移動を利用して錠止部材を制御するようにしたことを特徴とするプッシュプルピンロック。
【請求項３】
上記タンブラーピンを、両端に操作端を形成した操作部と、この操作部の外側に摩擦係合を介して嵌合する筒状の作動筒とで構成し、この作動筒の中央部に上記タンブラーピンの小径部を形成すると共に、作動筒の外形を大径部と同一径にしたことを特徴とする請求項１又は請求項２に記載のプッシュプルピンロック。
【発明の詳細な説明】
【技術分野】
【０００１】
この発明は、プッシュプルピンロック（以下単にピンロックという）に係り、特に、本出願人が先に出願したピンロックを更に改良し、操作性を向上させると共に、全体をコンパクトにし得るピンロックに関する。
【背景技術】
【０００２】
本願によって提案されたピンロックは、本出願人の提案に係る下記特許文献に記載のピンロック以前には存在しなかったものと認識している。
【特許文献１】特願２００５−０３５１７
【発明の開示】
【発明が解決しようとする課題】
【０００３】
上記特許文献１によって提案されたピンロックは、その明細書の特許請求の範囲の記載から明らかなように、扉枠や箱の開口端縁部外面側に突設された係着部材を介して扉枠や箱に装着され、扉や箱の蓋の自由側端縁の開放方向の移動軌跡と干渉するようにして扉や箱の蓋を錠止する形式の錠前であって、偏平な本体ブロックに一定の展開パターンで複数のピン孔を形成すると共に、各ピン孔の本体ブロックの表面側の開口部に数字や文字を標記し、一方、本体ブロック内で邪魔板をピン孔に垂直な平面内で一定方向に所定距離移動可能に支持、案内し、この邪魔板に、大径孔と小径孔とを上記一定方向に、所定距離の間隔で連設したダルマ形のタンブラー孔をピン孔と同じ展開パターンで形成し、他方、各ピン孔に、外端に本体ブロックの表面側に突出する操作端を形成し、タンブラー孔を貫通する内端部にタンブラー孔の大径孔と嵌合する大径部と、小径孔と嵌合する小径部とを連設したタンブラーピンを長さ方向に移動可能に嵌装すると共に、タンブラーピンを、その操作端を外側から引いたとき小径部が邪魔板と整合する第１タンブラーピンと、押したとき小径部が邪魔板と整合する第２タンブラーピンとに分類し、本体ブロックの選択されたピン孔群に第１タンブラーピンを、残りのピン孔群に第２タンブラーピンを夫々嵌装し、また、本体ブロックの裏面側に上記係着部材を収納する溝を形成すると共に、邪魔板の一定方向における内端にこの溝に臨む係止端を、外端に本体ブロックから突出する操作部を夫々形成したことを特徴とするものである。
【０００４】
しかしながら、上記した特許文献１によって提案されたピンロックは、その構造上用途が限定されてしまう。
【０００５】
また、シリンダ錠における鍵違いに対応する解錠パターンをピンの出し入れによって設定するのだが、ピンの頭が本体ブロックの一面にしか露出しないので、ピンを押込むときは兎も角、ピンを摘み出す操作が比較的面倒で、操作性につき未だ改良の余地がある。
【０００６】
そこで、この発明は、ピンロックの操作性を向上させると共に、小形化をも容易にするピンロックを提案し、以てピンロックの使用範囲を拡大することを目的としている。
【課題を解決するための手段】
【０００７】
上記の目的を達成するため、請求項１に記載の発明は、浅い皿状の第１及び第２シェルの開口を相互に接合させて結合することにより偏平な本体ケースを構成し、この本体ケースの内部空間に、本体ケースを厚さ方向に貫通する回動軸の回りを回動可能に支承された邪魔板を設け、この邪魔板に、大径孔と小径孔とを円周方向に連設し、大径孔と小径孔とが回動軸を見込む角度が同じになるようにした複数のタンブラー孔を一定の展開パターンで形成し、一方、本体ケースの一面を表面として指定し、この表面上にタンブラー孔の展開パターンと同一の展開パターンで、本体シェルを厚さ方向に貫通するピン孔を形成すると共に、各ピン孔の本体ケースの少なくとも表面側の開口部に数字や文字を標記し、他方、各ピン孔に、両端に本体ケースの表面及び裏面に突出する操作端を形成し、タンブラー孔を貫通する中央部にタンブラー孔の大径孔と嵌合する大径部と、小径孔と嵌合する小径部とを連設したタンブラーピンを長さ方向に移動可能に嵌装すると共に、タンブラーピンを、操作端を表面側から押動したとき小径部が邪魔板と整合する第１タンブラーピンと、操作端を裏面側から押動したとき小径部が邪魔板と整合する第２タンブラーピンとに分類し、本体ケースの選択されたピン孔群に第１タンブラーピンを、残りのピン孔群に第２タンブラーピンを夫々嵌装し、全第１タンブラーピンを本体ケースの表面側から押動し、全第２タンブラーピンを裏面側から押動した後邪魔板を所定の方向に回動させ、この邪魔板の回動を利用して錠止部材を制御するようにしたことを特徴とする。
【０００８】
また、請求項２に記載の発明は、浅い皿状の第１及び第２シェルの開口を相互に接合させて結合することにより偏平な本体ケースを構成し、この本体ケースの内部空間に、邪魔板を一定方向に所定距離移動可能に支持案内し、この邪魔板に、大径孔と小径孔とを上記一定方向に所定距離の間隔で連設した複数のダルマ形のタンブラー孔を一定の展開パターンで形成し、一方、本体ケースの一面を表面として指定し、この表面上にタンブラー孔の展開パターンと同一の展開パターンで、本体シェルを厚さ方向に貫通するピン孔を形成すると共に、各ピン孔の本体ケースの少なくとも表面側の開口部に数字や文字を標記し、他方、各ピン孔に、両端に本体ケースの表面及び裏面に突出する操作端を形成し、タンブラー孔を貫通する中央部にタンブラー孔の大径孔と嵌合する大径部と、小径孔と嵌合する小径部とを連設したタンブラーピンを長さ方向に移動可能に嵌装すると共に、タンブラーピンを、操作端を表面側から押動したとき小径部が邪魔板と整合する第１タンブラーピンと、操作端を裏面側から押動したとき小径部が邪魔板と整合する第２タンブラーピンとに分類し、本体ケースの選択されたピン孔群に第１タンブラーピンを、残りのピン孔群に第２タンブラーピンを夫々嵌装し、全第１タンブラーピンを本体ケースの表面側から押動し、全第２タンブラーピンを裏面側から押動した後邪魔板を所定の方向に直線移動させ、この邪魔板の移動を利用して錠止部材を制御するようにしたことを特徴とするプッシュプルピンロック。
【０００９】
更にまた、請求項３に記載の発明は、上記タンブラーピンを、両端に操作端を形成した操作部と、この操作部の外側に摩擦係合を介して嵌合する筒状の作動筒とで構成し、この作動筒の中央部に上記タンブラーピンの小径部を形成すると共に、作動筒の外形を大径部と同一径にしたことを特徴とする。
【発明の効果】
【００１０】
上記のように構成された請求項１又は請求項２に記載の発明によるピンロックは、全部の第１タンブラーピンを偏平な本体ケースの表面側から押動し、全部の第２タンブラーピンを裏面側から押動することにより、全タンブラーピンの小係部が邪魔板のタンブラー孔と整合させるようにしたので、要するにタンブラーピンの押動操作のみにより施解錠操作が行えることになり、操作が容易でピンロックの操作性が向上する。
【００１１】
このように、ピンロックを構成する主な部品が本体ケースと邪魔板と複数のタンブラーピンのみであるから、構造が非常に簡単である。
【００１２】
また、施解錠操作がタンブラーピンを押す操作のみなので、当然のことながら合鍵を必要としない。
【００１３】
更にまた、請求項３に記載の発明によれば、解錠状態において、換言すれば、作動筒の小径溝部をタンブラー孔の小径部に填め込んだ状態で本体シェルの表面又は裏面側ら突出した操作端を押動することにより第１タンブラーと第２タンブラーの変換を容易に行え、シリンダ錠の鍵違いに相当する第１及び第２タンブラーピンの展開パターンを簡単に変えることができる、等種々の効果を奏する
【発明を実施するための最良の形態】
【００１４】
本体ケース内で一方向に移動可能に案内された邪魔板にピンタンブラーと同じ展開パターンでダルマ形のタンブラー孔を形成し、各タンブラー孔と係合するピンタンブラーの内端部の径をピンタンブラーの操作端を本体表面側から、及び裏面側から押すことによって全部小径とすることにより邪魔板を自由にして解錠するので、合鍵を必要とせず、また、構造も簡単になり、更に、操作性も向上した。
【実施例１】
【００１５】
以下、この発明の実施例を図面を参照して説明する。
なお、この実施例１では請求項１に記載された発明の一実施例を説明する。
【００１６】
図１及び図２において符号１は本体ケースを示し、この本体ケース１は、外形が円形で浅い皿状の第１及び第２シェル２、３を開口を相互に接合した状態で結合し、後述の邪魔板の回動軸４により一体に固定したもので、全体の形状が偏平な箱状体となっている。
【００１７】
ちなみに、図示の実施例における回動軸４は、両端が異形（図示の実施例では方形）断面となっており、第１及び第２シェル２、３の中央に開口した同形の開口（付番しない）と嵌合させた後両端をかしめ、第１及び第２シェル２、３の回動軸４回りの回り止めを施している。
【００１８】
なお、これはこの発明の必須の構成ではないが、上記第１及び第２シェルの回り止めを完全にするため、図３に示すように、例えば第２シェル３の開口端縁の少なくとも１ヵ所に付番しない突部を、第１シェル２の突部と整合する位置における開口端縁にこれと係合する凹部を形成し、これらを噛み合わせた状態で接合させるとよい。
【００１９】
上記回動軸４には円形の邪魔板５が回動自在に嵌合している。図示の実施例では、この邪魔板５は大きなフランジを有する短筒体のフランジ自体であり、この短筒を回動軸４に嵌合させ、カラー６（図２参照）を邪魔板５と第２シェルの内面とに間に嵌装することにより、邪魔板５の回動軸４の長さ方向のガタを取り除いている。
【００２０】
上記邪魔板５の外周部には、図１に示すように、１０個のタンブラー孔７、７が同一の円上に等間隔で開口している。
【００２１】
各タンブラー孔７は、大径孔と小径孔（何れも付番せず）を円周方向に連設したダルマ形をしており、大径孔と小径孔が回動軸４を見込む角度は各タンブラー孔７において同一に設定されている。
【００２２】
一方、図示の実施例では第１シェル２の外面が本体ケース１の表面として指定されており、この本体ケース１の表面上に、上記タンブラー孔７、７の展開パターンと同じ展開パターンで、換言すれば上記タンブラー孔７、７が配設されている同一の円上において等角度間隔で、本体ケースを厚さ方向に貫通する１０個のピン孔８、８が形成されている。
【００２３】
そして、本体ケースの少なくとも表面側（図２で上側）に、後述のタンブラーピンを他のタンブラーピンと区別するための数字や文字が標記されている（図１参照）。
【００２４】
他方、各ピン孔８には、両端に本体ケース１の表面及び裏面に突出する操作端９、（図２参照）を形成し、タンブラー孔７を貫通する中央部にタンブラー孔の大径孔と嵌合する大径部１１と、タンブラー孔の小径孔と嵌合する小径部１２とを連設したタンブラーピン１３が長さ方向、すなわち本体ケース１の厚み方向に移動可能に嵌装されている。
【００２５】
図示の実施例では、小径部１２の径が操作端９のそれと同一に設定されているが、これはこの発明の必須の構成要件ではない。
【００２６】
なお、ピン孔８とタンブラーピンの操作端９との嵌合の態様は、タンブラーピン１３が重量によって長さ方向に移動することを防止するため、所謂締り嵌め、或いは止まり嵌めが好適であるが、本体ケースを建ててタンブラーピン１３、１３が水平になるような態様でタンブラーピンを操作する場合には、弛み嵌めであっても差し支えない。
【００２７】
また、タンブラーピンは第１及び第２タンブラーピンの２種類に別れている。図２に示す２本のタンブラーピンは何れも第１タンブラーピンであり、この第１タンブラーピンは、表面側（上側）から操作端９を下方に押動すると、図２の左側に示すように、その小径部１２が邪魔板５と整合する。
【００２８】
しかしながら、裏面側から押動すると、図２の右側に示すように、大径部１１が邪魔板５と整合する。
【００２９】
同様に、裏面側から操作端９を押動したとき小径部１２が邪魔板５と整合し、表面側から押動したとき大径部１１が邪魔板５と整合するものを考えることができ、これを第２タンブラーピンとする。
【００３０】
なお、図示の実施例では邪魔板５の本体ケース１の厚み方向の位置が中央になく、図２で下方に偏っているので、第１及び第２タンブラーピンは形状が異なるが、邪魔板５が本体ケース１の厚み方向の中央にあれば、第１及び第２タンブラーを同形とすることができ、このときには第１及び第２の区別に応じてタンブラーピン１３を引っ繰り返してピン孔に嵌装する。
【００３１】
また、各タンブラーピン１３の、小径部１２に関し大径部１１と反対側に形成された付番しない大径部は、図示の実施例ではタンブラーピン１３の押込み量を規定するために用いられている。
【００３２】
そして、本体ケース１の選択されたピン孔群に第１タンブラーピンを、残りのピン孔群に第２タンブラーピンを夫々嵌装して所謂鍵違いとする。
【００３３】
この場合、例えば第１タンブラーが本体ケース表面の７、５、３及び０の数字が標記されたピン孔に嵌装されているとすると、残りの１、２、４、６、８、及び９に第２タンブラーピンを嵌装する。
【００３４】
このとき、プッシュプルロックの暗証番号を例えばＡ−７５３０と記憶しておく。
【００３５】
一方、これはこの発明の必須の構成ではないが、このプッシュプルロックを南京錠に適用する場合には、図１及び図３に示すように、所定の角度位置における邪魔板の外周端縁に作動腕１４を一体に突設し、この作動腕１４のシェル外に突出する先端に、全体の形状がＵ字形のシャックル１５の一端を回動自在にリンク結合する。
【００３６】
また、シャックル１５の他端には鈎部を形成し、施錠時、この他端を第２シェル３の開口端縁に形成された係止切欠１６を通して本体ケース内に挿入し、鈎部を係止切欠１６を保つ一方の開口端縁部に係止する。
【００３７】
なお、上記係止切欠１６及び上記作動腕１４が挿通する作動切欠１７には、夫々時計方向に隙間を保ち、後述のように邪魔板５が時計方向に移動するとき、作動腕１４或いはシャックルの他端が干渉しないようにする（図１参照）。
【００３８】
上記のように構成された請求項１に記載された発明の一実施例によるプッシュプルロックは、施錠時、例えば全タンブラーピンを表面側から押込んでおく。
【００３９】
すると、図１に示すように、数字９に対応するピン孔８の大径部にはタンブラーピンの大径部が嵌合している。
【００４０】
すると、図１から明らかなように、邪魔板５が時計方向にも反時計方向にも動くことができず、このプッシュプルロックは施錠状態にある。
【００４１】
したがって、図１から明らかなように、シャックル１５の他端の鈎部は本体ケース１に係止され、この南京錠は施錠状態を保つ。
【００４２】
解錠するときには、例えば外ケースの裏面を固いものの表面に押し付ける等して全タンブラーピンを裏面側から押込み、その後表面の数字７、５、３及び０に対応するタンブラーピンを押込むと、全タンブラーピンの小径部がピン孔の大径孔と整合する。
【００４３】
したがって、本体ケース１を片手に持ち、他の手でシャックル１５を図１で時計方向に回すと、図４に示すように、邪魔板５が本体ケース１に関し相対的に少し時計方向に回動することができ、シャックルの他端の鈎部が係止切欠１６から外れ、その結果、鎖線で示すように、シャックル１５が回動できるようになり、換言すれば南京錠が解錠される。
【実施例２】
【００４４】
図５及び図６は、請求項２に記載の発明の一実施例によるピンロックを示し、前記したと同様に、南京錠に適用した場合を示している。
【００４５】
図５及び図６に示すピンロックは、暗証符号を数字ではなく、アルファベットの組合わせとしている。
【００４６】
請求項２に記載の発明は、邪魔板を回転させるのではなくて直線動させるものであり、その外ケース１は細長い直方体である。
【００４７】
図５及び図６に示す実施例においては、第１及び第２シェル２、３は一対の連結軸１８、１８によってかしめつけられており、邪魔板５にその長さ方向にそって形成された案内スリット１９、１９と連結軸１８、１８との係合により、図において左右方向に移動可能に案内されている。
【００４８】
そして、邪魔板５の左端には矢張りＵ字形のシャックル１５が一体に形成され、施錠時にはその図５における下端が外ケース１のスリットに係入して南京錠が施錠されるが、解錠時にはシャックル１５が鎖線で示すように外方に移動し、南京錠が解錠される。
【００４９】
なお、図５及び図６において図１乃至図４と等符号を付した部分は相互に均等な部分を示し、図６において符号２０は止め輪を示す。
【実施例３】
【００５０】
図７は請求項３に記載の発明の一実施例によるタンブラーピンを示し、この請求項３に記載の発明は、一のタンブラーピンを第１及び第２タンブラーピンに任意に変換できる。
【００５１】
すなわち、図７におけるタンブラーピン１３は、両端に操作端９を形成した操作部２１と、この操作部２１の外側に摩擦係合を介して嵌合する筒状の作動筒とで構成してある。
【００５２】
この摩擦係合をなす摩擦係合部材２２として、例えばゴムのＯ−リングとか、或いは操作部２１を強く挟むように形成されたＣ字形の針金リング等が好適である。
【００５３】
そして、作動筒の中央部に上記タンブラーピンの小径部を形成すると共に、作動筒の外形を大径部と同一径にしてある。
【００５４】
上記のように構成された請求項３に記載の発明によるタンブラーピン１３は、ピンロックの解錠状態において、すなわち作動筒２３の小径部をピン孔の小径孔に填め合わせた状態で外ケースの表面側から操作部を押動すると第１タンブラーピンとなり、裏面側から押動すると第２タンブラーピンとなる。
【００５５】
何れの場合も、操作部２１に対する作動筒２３の相対位置は、摩擦係合部材２２によって準安定的に保たれる。
【図面の簡単な説明】
【００５６】
【図１】請求項１に記載の発明の一実施例によるピンロックを一部を破断して示す平面図で、ロック状態を示す。
【図２】図１のＩＩ−ＩＩ線による断面図。
【図３】請求項１に記載の発明の一実施例によるピンロックの側面図。
【図４】図１と同様の平面図で、アンロック状態を示す。
【図５】請求項２に記載の発明の一実施例によるピンロックを一部を破断して示す平面図。
【図６】その一部断面側面図。
【図７】請求項３に記載の発明の一実施例によるピンロックのタンブラーピンの拡大断面図。
【符号の説明】
【００５７】
１  本体ケース
２  第１シェル
３  第２シェル
４  回動軸
５  邪魔板
７  タンブラー孔
８  ピン孔
９  操作端
１１  大径部
１２  小径部
１３  タンブラーピン
１５  シャックル
１６  係止切欠
２１  操作部
２２  摩擦係合部材
２３  作動筒
【図１】
2006336268.tif 000003
【図２】
2006336268.tif 000004
【図３】
2006336268.tif 000005
【図４】
2006336268.tif 000006
【図５】
2006336268.tif 000007
【図６】
2006336268.tif 000008
【図７】
2006336268.tif 000009